Podtech/llm-jp-corpus-v4-ja_patent huggingface dataset:
(57)【要約】【課題】蚊を効率的に捕集して蚊による被害を大幅に減少させる【解決手段】１羽又は複数羽の鶏を収容するに足る適宜大きさからなり、鶏の出入口を有し、上部が開放されたケース１の内周面に粘着剤５を一面に塗布した粘着資材片２をケース内部に収容される鶏に接触する恐れが少ない所要高さ位置に取付片３を介して挿脱自在に配設せしめた。  なお、蚊が捕集され、多数の蚊が付着した粘着資材片２は、取付片３より取り出し、廃棄すると共に、新たな粘着資材片を取付片を介して取付け、次に備える。【選択図】    図１
0003107376.tif 000002
【実用新案登録請求の範囲】
【請求項１】
１羽又は複数羽の鶏を収容するに足る適宜大きさからなり、鶏の出入り口を有し、上部が開放されたケースの内周面に、粘着剤を一面に塗布した粘着資材片をケース内部に収容される鶏に接触する恐れの少ない所要高さ位置に設けた取付片を介し、両端を夫々、該取付片に挿着して挿脱可能に配設してなることを特徴とする蚊取り装置。
【請求項２】
ケースが木又はダンボールもしくは金網で形成されている請求項１記載の蚊取り装置。
【考案の詳細な説明】
【技術分野】
【０００１】
本考案は蚊取り効率良好な蚊取り装置に関するものである。
【背景技術】
【０００２】
従来、家庭にあっては通常、蚊取り線香や噴霧液体によって蚊を殺し、蚊による害を防止することが一般的に行われている。
【０００３】
また、ハエ取りのためには粘着剤を塗布した細幅の短冊状紙片を吊るして飛来してくるハエを被着せしめることも行われていた。
【０００４】
一方、器具を用いるものとして、容器内に蚊殺液を収容し、この蚊殺液を吸上芯により吸い上げ、これを加熱蒸散するようにした液体電気蚊取り器も提案されている。(例えば特許文献１参照)
【特許文献１】実公平６−３７６６７号公報
【考案の開示】
【考案が解決しようとする課題】
【０００５】
しかし、前述した従来の蚊取り線香や噴霧液体ならびに器具においては、蚊殺可能範囲が限られており、局部的に蚊を殺すことはできても、次々と飛来してくる蚊を根本的に絶滅することは事実上、不可能であった。
【０００６】
本考案は上述の如き実状に対処し、特に粘着剤塗布シートを利用し、鶏を収容するケースの内周面に該シートを配設することにより、局所的に蚊を殺すまでもなく蚊を該シートに効率的に多数被着させて、蚊の根絶をはかり、もって蚊による害を防止することを目的とするものである。
【課題を解決するための手段】
【０００７】
即ち、上記目的に適合する本考案蚊取り装置は、１羽又は複数羽の鶏を収容するに足る適宜大きさからなり鶏の出入口を有し、上部が開放されたケースの内周面に粘着剤を一面に塗布した粘着資材片を、ケース内部に収容される鶏に接触する恐れの少ない所要高さ位置に設けた取付片を介し粘着資材片の両端を夫々、取付片に挿着して挿脱可能にて配設せしめたことを特徴とする。
【０００８】
請求項２は上記装置におけるケース材料であり、木又はダンボールあるいは金網が用いられることを特徴とする。
【考案の効果】
【０００９】
上記本考案蚊取り装置は庭あるいは床上に配置しておく。蚊は特に鶏の臭いを好むことから鶏をケース内に収容しておくことにより、周辺に飛来する蚊はケース内に入り、ケース内周面に配設されている粘着資材片の粘着層に付着し、効率よく蚊取りを達成することができる。
【００１０】
事実、実際に粘着層に付着した蚊の数は極めて多数に上り、驚くべき効果を示した。
【考案を実施するための最良の形態】
【００１１】
以下、本考案の具体的な形態を添付図面に基づいて説明する。
【００１２】
図１は本考案に係る蚊取り装置の概要であり、１は周囲が囲まれ、上部が開放されていると共に、鶏の出入口１´を有しているケースであり、木製又はダンボール紙、あるいは金網などによって形成されている。
【００１３】
このケース１は鶏が１羽又は複数羽収容可能な適宜の大きさからなっており、その内周面に、図２に示す如き一面にポリブデン等の粘着剤を塗布した粘着資材片２がケース内面に設けられた取付片３を介し、粘着資材片両端を取付片３に挿脱自在として配設されている。
【００１４】
この場合、粘着資材片２としては紙，布等の一面に粘着剤を塗布したものも使用可能であるが、市販のものでもよく、例えば図２の如く２つ折りとした台片４の内面に粘着剤５を塗布したものも使用することができる。
【００１５】
なお、図２に示すものでは２つ折り時、内面の粘着剤層が互いに密着しないように間隔片６が設けられている。
【００１６】
この粘着資材片２の形状ならびに大きさは特に限定はないが、ケース内面に配設する関係上、適宜大きさの横長矩形状に形成することが好ましく、また、取付片３に両端を挿脱し得るためには少なくとも両側端には粘着剤の塗布されていない部分を残しておくことが肝要である。
【００１７】
そして、この粘着資材片２の配設にあたっては、ケース内周面において、少なくとも内部に収容される鶏に粘着剤がくっつかないようにすることが必要であり、従って、取付片３を鶏の高さよりも上部位置に設置することが肝要である。
【００１８】
そして粘着資材片２は鶏が接触しない上部位置であれば必ずしも一段でなく、２段又は複数段とすることも差し支えない。
【００１９】
また、粘着資材片２はケースの内周面の全周にわたってもよいが、図示の如く部分的に間隔をあけて配設することも可能である。
【００２０】
かくして、以上のような内周に粘着資材片２を適宜、配設したケース１によって本考案蚊取り装置は形成されるが、これを適宜の場所に配置して使用する時においては蚊が鶏の匂いを好むという習性があるので、ケース内の鶏には気の毒ではあるが、おとりとして収容して蚊をおびき寄せるようにすると、飛来する蚊の数は夥しくなり、より効果的に蚊を粘着剤により捕集することができる。
【００２１】
なお、蚊が捕集され、多数の蚊が付着した粘着資材片２は、取付片３より取り出し、廃棄すると共に、新たな粘着資材片を取付片を介して取り付け、次に備える。
【図面の簡単な説明】
【００２２】
【図１】本考案に係る蚊取り装置の斜視図で、一部切欠して示している。
【図２】本考案蚊取り装置に使用する粘着資材片の１例を示す斜視図である・
【符号の説明】
【００２３】
１：ケース
２：粘着資材片
３：取付片
４：台片
５：粘着剤
６：間隔片
【図１】
0003107376.tif 000003
【図２】
0003107376.tif 000004
(57)【要約】      （修正有）【課題】警察官等が小火器の実弾射撃等に用いる標的用ボード体に係る省エネルギー対策として新規な標的用ボード体を得ることを課題とするものである。【解決手段】本考案は通常の荷造り、包装等に用いられる段ボール紙２枚を該段ボール紙の中間部位に所在する波板状緩衝紙５、５’の方向を逆にし、即ち十字状直角に交差させて合体接着して単体の標的用ボード体１を得ることを手段とするものである。【選択図】図１
0003107374.tif 000002
【実用新案登録請求の範囲】
【請求項１】
警察官等が拳銃等の小火器の実弾射撃に用いる新規に開発された標的用ボード体であって、段ボール紙の中間位の波板状緩衝部材の方向を互いに交差させた２枚の段ボール紙を合体接着し、単体としたことを特徴とする新規な実弾射撃用標的ボード体。
【考案の詳細な説明】
【技術分野】
【０００１】  本考案は、ライフル銃、拳銃等小火器の射撃訓練用或いは競技用等に用いられている「まと」即ち、標的台材に関するものである。
【背景技術】
【０００２】  従来の標的ボード体は単なる単体の段ボール紙等の表面に円環状の中心部を高得点とした標的ボード体が大多数を占めていた。
【考案の開示】
「特許文献１」  実開平２−１２２９９５号
「特許文献２」  実用新案登録第３０６７０９５号
「特許文献３」  特開平１０−１３８３７４号
「特許文献４」  特開平１０−１１１０９９号
【考案が解決しようとす課題】
【０００３】  上記の様に通常の単体の段ボール紙を使用した場合、該段ボール紙に数発の実弾が命中し貫通した場合、入射穴は小径の穴であるが、出射穴即ち貫通穴は大径の穴となり、破砕し再度の使用は不能であった。  従って極めて多数の台材を必要とすると共に標的の差し替え等に多くの人的労力を要した。
【課題を解決するための手段】
【０００４】  上記実用新案登録第３０６７０９５号で開示した標的ボード体にあっては、段ボール紙中心部の波板状緩衝部に極薄状の金属板をコーティングし極めて良好な標的ボード体を得たのであるが日々大量の紙製のボード体の中心部に金属板が混入した廃棄物の現出の処理は困難であった。
本考案は通常の荷造り梱包等に用いられる段ボール紙を中心部位の波板状緩衝紙の方向を逆に、即ち十字状、直角に交差させた２枚の段ボール紙を合体接着して双体の段ボール紙を単体となして問題点を解決するものである。
【考案の効果】
【０００５】  上述のように通常の段ボール紙２枚を組み合わせて接着するのみで、小火器の銃弾が命中した入射穴と出射穴即ち貫通穴は略同一の口径であることを試行錯誤の結果考案したものであって目的であり、課題であった省エネルギー化に極めて有効な効果を奏するものである。
【考案の実施をするための最良の形態】
【０００６】  ２枚の段ボール紙の緩衝材紙である波板状紙の波筋を交互に直角に交差する状態に組み合わせて、合体し接着し該外面上に標的紙を貼着した構成としたものである。
【実施例】
【０００７】  以下、添付図面に基づいて一実施例を説明する。
１は本考案の標的本体であり、２は標的紙、３は第１段ボール紙、４は第２段ボール紙であり、５．５′は段ボール紙の中間部に位置する緩衝材である波板状紙を表す。【０００８】  第１段ボール紙３と第２段ボール紙４の片面同士を接着材を介して強固に接合し、単体の台材を得る。
上記の各段ボール紙の中間部に位置する波板紙５．５′の波筋を直角に、交差即ち十字状に交わらせて形成するものである。【０００９】  次に図示の第１段ボール紙の他面に中心部を高得点とする標的紙２を貼着して標的本体１を構成したものである。
【図面の簡単な説明】
【００１０】
【図１】  本考案の一実施例を示す説明のための要部を拡大して表した斜視図である。
【符号の説明】
【００１１】  １…標的本体
２…標的紙
３…第１段ボール紙
４…第２段ボール紙
５．５′…緩衝波板状紙。
【図１】
0003107374.tif 000003
(57)【要約】【課題】本考案はおむつ交換がしやすく、おむつ交換後はまったく普通のパジャマのように動けるパジャマを考案することにより、着用者の快適性、介護者の利便性の両方を解決する。【解決手段】パジャマのズボンの前面と両方の脚部内側すべてにオープンファスナーを設け、パジャマのズボン自体が全開放できるようにすると共に、オープンファスナー開き防止に共布のタグとマチをとりつけることで、病人のオムツ交換を容易にした。また、総てのファスナーを閉じるとまったく普通のパジャマのようになる。前記ファスナー取付部近傍に持ち出し部を形成することで、ファスナーが通常の使用状態では外部から見えないようにする。【選択図】図１
0003107334.tif 000002
【実用新案登録請求の範囲】
【請求項１】
パジャマのズボンの前面と両方の脚部内側すべてにオープンファスナーを設け、パジャマのズボン自体が全開放できるようにすると共に、オープンファスナー開き防止に共布のタグとマチをとりつけることで、病人のオムツ交換を容易にした全開放型介護用パジャマ。
【請求項２】
前記ファスナーの取付部近傍に持ち出し部を形成し、ファスナーが通常の使用状態では外部から見えないことを特徴とする全開放型介護用パジャマ。
【考案の詳細な説明】
【技術分野】
【０００１】
本考案は、オープンファスナーを設け、全開放できるようにした介護用パジャマに関するものである。
【背景技術】
【０００２】
オムツを必要とする病人には、パジャマでは着脱が不便なため、浴衣型やワンピース型の寝間着が使用されることが多かった。
【考案の開示】
【考案が解決しようとする課題】
【０００３】
浴衣型やワンピース型は寝乱れて、見苦しい。また、完全に寝たきりではないがオムツが必要な場合には、パジャマ型の方が少しでも活動しやすく、病人の自尊心が傷つかないので、おむつ交換がしやすいパジャマが必要だった。そこでおむつ交換がしやすく、おむつ交換後はまったく普通のパジャマのように動けるパジャマを考案することにより着用者の快適性、介護者の利便性という両方の問題を解決する。
【課題を解決するための手段】
【０００４】
パジャマのズボンの前面と両方の脚部内側すべてにオープンファスナーを設け、パジャマのズボン自体が全開放できるようにすると共に、オープンファスナー開き防止に共布のタグとマチをとりつけることで、病人のオムツ交換を容易にした。
また、前記ファスナー取付部近傍に持ち出し部を形成することで、ファスナーが通常の使用状態では外部から見えないようにする。
【考案の効果】
【０００５】
オープンファスナーをはずすと１枚の布のようになるので、浴衣型の寝間着のようにおむつ交換が楽にでき、しかも、ファスナーを閉じてしまうと、まったく普通のパジャマのようになり、引っ張っても、はずれることがない。それにより、病人は動きやすく、残された身体機能を生かすことができ、見舞い客がきても寝乱れて見苦しいということがないので、少しでも健全な療養生活をすごせる。また、オムツも使用するが、トイレにも連れて行くという状態の場合にも役立つ。
【考案を実施するための最良の形態】
【０００６】
股の部分から胴のゴムの部分まで、両脚部内側の部分から股の部分まで、３本のオープンファスナーをつける。全部を閉じた場合、それぞれのファスナーの金具位置は、前部のファスナーの金具がウエスト部、脚部の金具は股の部分に止まるように設置する。また、ファスナーのずれ防止の為にウエスト部にはタグを、股の部分にはマチをつけそれぞれをスナップでとめるようにする。
【実施例】
【０００７】
以下、添付図面に従い、実施例を説明する。
図1はすべてのファスナーを全開した状態。図中の符号２はパジャマの股の部分から胴のゴムの部分までのファスナー。符号３は左脚部内側の部分から股の部分までのファスナー。符号４は右脚部内側の部分から股の部分までのファスナー。
図２はすべてのファスナーを閉じた状態。符号２のファスナーを閉じた場合の金具位置はウエスト部。符号３と符号４のファスナーを閉じた場合の金具位置は股部。
図３はタグとマチを閉じた状態。ファスナーをすべて閉じた状態でウエスト部に取り付けた符号５のタグをスナップ止めし、股部に取り付けた符号６のマチをスナップ止めする。
図４は持ち出し部を設けてすべてのファスナーを全開した状態。図中の符号７は、
持ち出し部。
図５は持ち出し分を設けた状態で、すべてのファスナーをすべて閉じ状態でウエスト部に取り付けた符号５のタグをスナップ止めする。
【図面の簡単な説明】
【０００８】
【図１】ファスナーを全開した状態を示した図面である。
【図２】ファスナーを閉じた状態を示した図面である。
【図３】ファスナーを閉じ、タグとマチをとめた状態を示した図面である。
【図４】持ち出し部付きのパジャマの、ファスナーを全開した状態を示した図面である。
【図５】持ち出し部付きのパジャマの、ファスナーを閉じた状態を示した図面である。
【符号の説明】
【０００９】
１  パジャマ本体
２  股の部分から胴のゴムの部分までのファスナー
３  左脚部内側の部分から股の部分までのファスナー
４  右脚部内側の部分から股の部分までのファスナー
５  ウエスト部タグ
６  股部マチ部
７  持ち出し部
【図１】
0003107334.tif 000003
【図２】
0003107334.tif 000004
【図３】
0003107334.tif 000005
【図４】
0003107334.tif 000006
【図５】
0003107334.tif 000007
【手続補正書】
【提出日】平成16年10月1日(2004.10.1)
【手続補正１】
【補正対象書類名】実用新案登録請求の範囲
【補正対象項目名】請求項  ２
【補正方法】変更
【補正の内容】
【請求項２】
前記オープンファスナーの取付部近傍に持ち出し部を形成し、オープンファスナーが通常の使用状態では外部から見えないことを特徴とする請求項１に記載の全開放型介護用パジャマ
(57)【要約】      （修正有）【課題】使用後に収納する時には、使用時と比べてスペースを小さくすることができる。【解決手段】深型バスケットの上部及び下部にスライド枠を取り付け使用後に収納する時にはフレームの上段レールに上部スライド枠をセットし深型バスケットの上に浅型バスケットを合わせ置く事により従来の約５０％のスペースで収納保管する事を可能にした。【選択図】図５
0003107331.tif 000002
【実用新案登録請求の範囲】
【請求項１】
右フレーム及び左フレームを溶接固定し上段レールに深型バスケットの下部スライド枠をセットし下段レールに浅型バスケットの上部スライド枠をセットして前後にスライドさせる２段バスケット。
【考案の詳細な説明】
【技術分野】
【０００１】本考案は収納の分野で洗面台下の小物や流し台下の小物を整理収納する時に利用するスライドバスケットに関するものである。
【背景技術】
【０００２】従来から洗面台下の小物や流し台下の小物を整理収納する時のスライドバスケットがあった。
【考案の開示】
【考案が解決しようとする課題】
【０００３】従来の物は使用しない時にも使用時と同じスペースが必要である。
【課題を解決するための手段】
【０００４】深型バスケットの上部スライド枠Ａをフレームの上段レールにセットし深型バスケットの上に浅型バスケットをあわせ置く事により従来の物の約５０％のスペースで収納する事を可能にした。
【考案の効果】
【０００５】収納時には深型バスケットの上部スライド枠Ａをフレームの上段レールにセットし深型バスケットの上に浅型バスケットを合わせ置く事により従来の物の約５０％のスペースで収納できる。
【考案を実施するための最良の形態】
【０００６】〔図１〕正面図
〔図２〕左側面図
〔図３〕右側面図
〔図４〕部品図
〔図１〜図４〕の符号
（１）深型バスケット
（１−１）上部スライド枠Ａ
（１−２）下部スライド枠
（２）フレーム
（２−１）右フレーム
（２−２）左フレーム
（２−３）上段レール
（２−４）下段レール
（３）浅型バスケット
（３−１）上部スライド枠Ｂ
〔図５〕従来の物の図及び今回考案の物の図
使用時には図中（２−３）に（１−２）をセットし（２−４）に（３−１）をセットして（１）及び（３）を前後にスライドさせてしようする。
収納時には（２−３）に（１−１）をセットし（１）の上に（３）を合わせ置くと小スペースで収納できる。
【図面の簡単な説明】
【０００７】
【図１】正面図
【図２】左側面図
【図３】右側面図
【図４】部品図
【図５】従来の物の図及び今回考案の物の図
【符号の説明】
【０００８】
【１】深型バスケット
【１−１】上部スライド枠Ａ
【１−２】下部スライド枠
【２】フレーム
【２−１】右フレーム
【２−２】左フレーム
【２−３】上段レール
【２−４】下段レール
【３】浅型バスケット
【３−１】上部スライド枠Ｂ
【図１】
0003107331.tif 000003
【図２】
0003107331.tif 000004
【図３】
0003107331.tif 000005
【図４】
0003107331.tif 000006
【図５】
0003107331.tif 000007
(57)【要約】【課題】グリーン上でボールマークのために使用するゴルフ用マーカーを取り外し自在に磁着させることができるようになしたゴルフ用手袋を提供する。【解決手段】手袋本体１の甲部側における手の挿入開口部３周辺に付設される緊締ベルト片４の内部に任意形状の偏平マグネット７を封入し、当該緊締ベルト片４の表面側から磁性材によって作製されたゴルフ用マーカー８を着脱自在に磁着させるようにして、従来のように脱落して紛失したりするのを防止することができるようにした。【選択図】図２
0003107393.tif 000002
【実用新案登録請求の範囲】
【請求項１】
手袋本体の甲部側における手の挿入開口部周辺に付設される緊締ベルト片の内部に任意形状の偏平マグネットを封入し、当該緊締ベルト片の表面側から磁性材によって作製されたゴルフ用マーカーを着脱自在に磁着させるようにしたことを特徴とするゴルフ用手袋。
【考案の詳細な説明】
【技術分野】
【０００１】
本考案はゴルフの際に着用するゴルフ用手袋に係り、特にグリーン上でボールマークのために使用するゴルフ用マーカーを取り外し自在に磁着させることができるようになしたゴルフ用手袋に関する。
【背景技術】
【０００２】
ゴルフ用のマーカーは、グリーン上でのパットプレーに必要不可欠なものであるが、グリーン外では不要となるため、従来はポケットに入れて持ち歩いたり、あるいはパターのグリップエンドに設けられた小孔に挿着したり、ゴルフ用の手袋に設けた穴に差し込んで携行することが行なわれている。
【０００３】
しかしながら、ゴルフウェアのポケットに入れた場合には、必要なときに取り出し難いと共に、ポケットが複数あるため収納した場所を特定し難く迅速に対応することができないという問題点がある他、紛失することも多い。また、パターのグリップエンドに挿着したり、ゴルフ用の手袋に設けた穴に差し込んで携行する場合においても脱落して、紛失することが多い。
【０００４】
そのため、たとえば次に示す特許文献１には、マーカーの突起部に周溝を形成して、この周溝を嵌め込むＵ字溝を形成すると共に、ゴルファーのベルトに差し込むためのコ字状の挟着部を形成した携帯用具を用い、Ｕ字溝によってマーカ−を保持させ、携行できるようにしたマーカーの保持具が開示されている。
【特許文献１】実開平６−４４５６８号公報
【考案の開示】
【考案が解決しようとする課題】
【０００５】
前記特許文献１に示された携帯用具によれば、ポケットに収納した場合と較べマーカーの所在が不明になるといった問題点を解消することができるとしても、マーカーの突起部に周溝を形成しなければならず、当該周溝を具備しない既成のマーカーには用いることができないという欠点がある。また、ベルトへの挿着が不完全な場合には、Ｕ字溝からマーカーの周溝が外れて脱落するといった問題点がある。
【０００６】
そこで、本考案は手袋本体の甲部側に付設される緊締ベルト片の表面にゴルフ用マーカーを磁着させるようにして前記した従来の問題点を解決するようにしたゴルフ用手袋を提供することを目的とするものである。
【課題を解決するための手段】
【０００７】
上記目的を達成するための本考案の構成を詳述すれば、請求項１に係る考案は、手袋本体の甲部側における手の挿入開口部周辺に付設される緊締ベルト片の内部に任意形状の偏平マグネットを封入し、当該緊締ベルト片の表面側から磁性材によって作製されたゴルフ用マーカーを着脱自在に磁着させるようにしたことを特徴とするゴルフ用手袋である。
【考案の効果】
【０００８】
本考案によれば、プレーに支障を来すことのない手袋本体の甲部側に付設される緊締ベルト片に偏平状のマグネットを封入してあるので、磁性材からなるマーカーを磁着させることができ、従来のように脱落して紛失したりすることがなくなる。また、グリーン上においても、磁力に抗してマーカーを引っ張れば容易に取り外すことができ、グリーン上でのパタープレーの迅速化が可能となる。
【考案を実施するための最良の形態】
【０００９】
以下、本考案に係るゴルフ用手袋の具体的構成を図示の実施形態に基づいて詳細に説明する。
【００１０】
図１は本考案ゴルフ用手袋の一実施形態を示す斜視図、図２は図１のＡ−Ａ線に沿った拡大断面図である。
【００１１】
図中１は天然皮革、合成皮革、人工皮革、あるいはストレッチ機能を有する布帛等を用いて作製されたゴルフ用手袋本体を示し、２は当該手袋本体１の甲部側を示す。３は甲部側２における手の挿入開口部であり、４は当該開口部３の一側縁に縫着手段によって取付けられた緊締ベルト片である。
【００１２】
この緊締ベルト片４は多数の係着子を植設した面ファスナー５と、手袋本体１の甲部側２をなす素材と同じ素材で作製された表皮６の二層構造となっており、７は当該面ファスナー５と表皮６の間に配設した偏平状のマグネットを示す。
【００１３】
なお、緊締ベルト片４を構成する面ファスナー５は、手袋本体１の甲部側２に設けられている他方の面ファスナーに係着させるためのものである。
【００１４】
前記マグネット７は円形ないし楕円形、あるいは四角形等その外観形態は任意であるが、緊締ベルト片４をなす面ファスナー５と表皮６の間に封入するものであるため成るべく薄い偏平状のものを用いるようにする。なお、偏平マグネット７が面ファスナー５と表皮６の間において遊動するのを防止するため、当該マグネット７の両面、あるいはいずれか一方の面に両面粘着テープを付設し、面ファスナー５と表皮６の内面に粘着させるようにするとよい。
【００１５】
偏平マグネット７が緊締ベルト片４内において遊動するのを防止するには、前記両面粘着テープを用いる他、封入したマグネット７の周囲をミシン掛けによって縫着する等の方法によってもよい。
【００１６】
本考案はこのような構成からなり、磁性材によって作成されたゴルフ用マーカー８を緊締ベルト片４の表面側に磁着させることによって保持することができる。したがって、グリーン以外の、マーカーを必要としない場所においては、手袋本体の甲部側における緊締ベルト片に磁着させておいて、紛失するのを防止することができる。グリーン上において、マークが必要となったときは、マグネット７の磁力に抗してマーカー８を引き離せばよい。
【００１７】
このように、本考案によればゴルフ用マーカーを紛失することがなくなり、グリーン上において他のプレーヤーに迷惑をかけることもなくなる。また、マグネットは二層構造からなる緊締ベルト片の内部に封入され、外観的にはマグネットの所在は一切判らないのでデザイン的にマイナスとなるようなこともなくきわめて実用的である。
【図面の簡単な説明】
【００１８】
【図１】本考案ゴルフ用手袋の一実施形態を示す斜視図である。
【図２】図１のＡ−Ａ線に沿った拡大断面図である。
【符号の説明】
【００１９】
１：手袋本体
２：甲部側
３：挿入開口部
４：緊締ベルト片
５：面ファスナー
６：表皮
７：マグネット
８：ゴルフ用マーカー
【図１】
0003107393.tif 000003
【図２】
0003107393.tif 000004
(57)【要約】    【課題】  印刷効果が高く、ソフトでボリュ−ムがあり、高級感を有する紙製コ−スタ−を簡易、且つ、迅速に形成することを目的とする。    【解決手段】    吸い取り紙を印刷用に製紙したバ−ジンパルプ紙上に、バージンパルプをミキサーで綿状に粉砕し、接着駅を噴霧して形成したエアレ−ド不織布を重ね合わせ、凸版印刷機に掛けて印刷を施すと共に、バ−ジンパルプ紙起毛とエアレ−ド不織布細毛を印圧で絡めて接着し、同時に周縁にエンボスを形成しながら切り抜き、コ−スタ−を形成するのである。    【選択図】  図２
0003107397.tif 000002
【実用新案登録請求の範囲】
【請求項１】
吸い取り紙を印刷用に製紙したバ−ジンパルプ紙上に綿状に粉砕したバ−ジンパルプ綿に接着液を噴霧して形成したエアレ−ド不織布を重ね合わせ、印刷を施すと共に、印圧でバ−ジンパルプの表面起毛とエアレ−ド不織布の表面細毛を絡ませて接着し、同時に周縁にエンボスを形成しながら切り抜いたことを特徴とするコ−スタ−。
【考案の詳細な説明】
【技術分野】
【０００１】
本考案はビール、水割り、その他の飲料水を入れたグラスの下敷きとして用いるコースターに関する。
【背景技術】
【０００２】
コ−スタ−はビ−ル、水割り、その他の飲料水を入れたグラスの下敷として用いる。
【０００３】
コ−スタ−の主要目的はコップ等の表面に結露し、滴り落ちた水滴がテ−ブル上を汚さないようにコ−スタ−上で吸水することであるが、その他にも種々の模様や彩色を施し、デザイン性を持たせたり、コ−スタ−表面に店名やロゴマ−クを印刷し、宣伝媒体としての重要な役割も担っている。又、テ−ブル面とグラス底面との接触を和らげる緩衝材として用いられる場合もある。
【０００４】
コ−スタ−の主要目的である吸水性を改善した次のような先行技術がある。
【０００５】
特開２００１−１６１５３５号公報記載のコ−スタ−はコップに付着した水滴を効率よく吸水しコ−スタ−表面に水滴が溜まることを防ぐと共に外観面において高級感を醸し出すことを目的としている。
【０００６】
特開２００１−４６２１１号公報記載のコ−スタ−は基布の素材に特殊な繊維を用い、コ−スタ−の吸水性を高め、コ−スタ−がコップの底に密着してコップと共に持ち上がる等の不具合を取り除くことを目的としている。
【特許文献１】特開２００１−１６１５３５号公報
【特許文献２】特開２００１−４６２１１号公報
【非特許文献１】ポリ引きあるいは蝋引きの紙を底としその上にティッシュペ−パ−様の紙を４、５枚重ね合わせた後、熱で圧着して製造する「プライコ−スタ−」というコ−スタ−がある。
【考案の開示】
【考案が解決しようとする課題】
【０００７】
上記の特許文献１及び２に記載されたコ−スタ−は吸水性を高め、コップ等の底面への貼り着き等の不具合を低減する点では効果的であるが、吸水性を高めるためにコ−スタ−基紙を改善すると明瞭な印刷が不可能となり、宣伝媒体としての効果を充分に奏することができない。
【０００８】
又、コ−スタ−が薄くなるとコ−スタ−上にグラスを置く時に衝突音を発し、緩衝材としての役目を果たさない。
【０００９】
また、従来製品である「プライコ−スタ−」は上層部は吸水性が高いものの、ティッシュを４、５枚重ね合わせただけなため接着性に欠ける。また、ポリ引きされた底の紙が吸水しないため底に水が溜まり、結局、コ−スタ−がコップの底に貼り付いてしまう。また熱圧着製法なので生産性も高くない。
【００１０】
そこで、本考案では、コ−スタ−本来の吸水性を保持しながら、高級感があり、且つ、印刷効果の高いコ−スタ−を低コストで提供することを目的とする。
【課題を解決するための手段】
【００１１】
コ−スタ−原紙（吸い取り紙を印刷用に製紙したバ−ジンパルプ紙）の上にエアレ−ド不織布（バ−ジンパルプをミキサ−機で綿状に粉砕し、接着液を噴霧したおしぼり原紙）を重ね合わせて凸版印刷機の樹脂版に印圧をかけて印刷を施しながら両紙を接着し、同時にトムソン切り刃で周縁に圧力をかけエンボス加工を施しながら切り取るのである。この時、バ−ジンパルプの表面起毛とエアレ−ド不織布の表面細毛が絡まり合い、更に、強度に接着するのである。
【考案の効果】
【００１２】
グラスに結露した水滴を素早く吸水すると共に、今までにない製法でボリュ−ム感があり、ソフトで高級感のあるコ−スタ−の製造が可能となる。
【００１３】
また、コ−スタ−本来の目的を達成しながら、明瞭で美麗な印刷を可能とし、デザイン性の高い、重要な宣伝広告媒体ともなるコ−スタ−を提供できる。
【００１４】
更に、ボリュ−ムを増したことで緩衝材としても高い効果を奏するのである。  印刷時の圧力と、バ−ジンパルプの表面起毛とエアレ−ド不織布のリンタ−特有の表面細毛の絡まりを利用して、コ−スタ−原紙とパルプ不織布を接着するため基紙と不織布との貼合に使用していたポリボンド等の貼着材の使用を不要とし、トムソン切り刃で切り取る際にコ−スタ−周縁にエンボスを施し、さらに接着性を高めている。
【００１５】
迅速、且つ、簡便な方法で製造できるため、製造コストを低減し、生産性を高めることができる。
【考案を実施するための最良の形態】
【００１６】
以下、本考案の好ましい実施形態について図面を参照しながら説明する。
【実施例１】
【００１７】
図１に示す２がコ−スタ−原紙である。これは吸い取り紙を印刷用に製紙したバ−ジンパルプ紙である。１はバ−ジンパルプ紙をミキサ−にかけて綿状に粉砕し、コンベア上で接着液を噴霧して形成したエアレ−ド製法によるおしぼり原紙である。これは表面がふわふわに毛羽立っている。
【００１８】
コ−スタ−原紙２上にエアレ−ド不織布１を重ね合わせ、凸版印刷機にかけて印刷を施しながら印刷の圧力でコ−スタ−原紙２とエアレ−ド不織布１を接着する。この時、コ−スタ−原紙２であるバ−ジンパルプの起毛とエアレ−ド不織布１の細毛が印圧により絡まり、強固に密着するのである。
【００１９】
同時にトムソンの切り刃でコ−スタ−の周縁４ａにエンボスを形成しながら切り取り、店名が印刷されたコ−スタ−４を製造するのである。
【産業上の利用可能性】
【００２０】
ビ−ル、水割り、その他飲料水等を入れたグラスの下に敷く吸水性の高い紙製コ−スタ−であって、種々の模様や色彩を有してデザイン性があり、店の名前やロゴマ−クを印刷して重要な広告宣伝媒体ともなるコ−スタ−に利用できる。
【図面の簡単な説明】
【００２１】
【図１】コ−スタ−の製造手順を表した説明図。
【図２】コ−スタ−の製造手順を表した説明図。
【符号の説明】
【００２２】
１、エアレ−ド不織布    ２、コ−スタ−原紙    ４、コ−スタ−    ４ａ、コ−スタ−周縁
【図１】
0003107397.tif 000003
【図２】
0003107397.tif 000004
(57)【要約】【課題】    テレビ会議用端末の設定においては、カメラ、マイク、ディスプレー、キーボード及びスピーカーなどの構成品を、端末設置場所において、設置し、接続し、初期調整を実施していたので、テレビ会議実施を決定しても、会議に至るまで、会議場所の設定を始め、多くの時間と人手を必要としていた。【解決手段】  テレビ会議端末に必要とする各機器、各部品一式をキャリングケースに実装し、初期設定して置くことにより、テレビ会議実施場所においては、当該端末機を運び、電源及びインターネット回線を接続するのみで会議可能の状態とする。【選択図】    図２
0003107324.tif 000002
【実用新案登録請求の範囲】
【請求項１】
動画、静止画及び音声による参加者数名程度を対象としたテレビ会議システムの端末機能一式をキャリングケースに実装したテレビ会議用端末機。
【請求項２】
テレビ会議システムの端末機能一式をキャリングケースに実装する構成（図１参照）。
【考案の詳細な説明】
【考案の詳細な説明】
【技術分野】
【０００１】  本考案は、インターネットを介して複数地点間において数名程度が参加する動画、静止画及び音声によるテレビ会議を実施する際に用いる携帯型端末機に關するものである。
【背景技術】
【０００２】  従来のテレビ会議用端末機においては、カメラ、マイク、ディスプレー、キーボード及びスピーカーなどの構成品を、端末設置場所において、設置し、接続し、初期調整を実施するのが一般的であった。【０００３】  そのため、テレビ会議実施を決定しても、会議に至るまで、会議場所の設定を始め、多くの時間と人手を必要としていた。
【考案が解決しようとする課題】
【０００４】  この考案の目的は、テレビ会議端末に必要とする各機器、各部品一式を携帯型キャリングケースに実装して置くことにより、テレビ会議実施場所においては、当該端末機を運び、電源及びインターネット回線を接続するのみで会議可能の状態とすることにある。
【０００５】  複数地点間で、それぞれ数人程度が参加し得る、簡便な運搬と設定が容易なテレビ会議システム端末を得ること。
【課題を解決するための手段】
課題解決のためには、テレビ会議端末を構成する全ての、機器、部品を、同一ケースに収納し、配線、接続、初期セッティングを事前に完了しておく必要がある。  また、システム使用の参考となる説明書等も収納可能なスペースを確保しておく。
【考案実施の形態】
【０００６】  携帯型テレビ会議端末機は、キャリングケース（図１の２）底面にディスプレーと操作部として使用するキーボードを有するラップトップコンピュータ（図１の１）、マイク（図１の４）、カテゴリー５のＬＡＮ接続端子（図１の８）、会議時画面操作用のコントローラ（図１の９）、及び電源コード（図１の１０）を取付け、キャリングケース蓋面にはカメラ（図１の３）、スピーカ（図１の６）、マイクコントロール（図１の５）、音量コントロール（図１の７）を取付け、カメラ用広角レンズ取付金具（図１の１１）を装着している。
【０００７】  キャリングケース底面の両側方に収納スペースを設け、広角レンズ、マイクのスタンド部、所要の電源部を収納している。また、このスペースは、コントローラ（図１の９）の収納を可能とし、説明書等の収納も可能としている。
【０００８】  なお、使用条件等によっては、マイクに代わりノイズキャンセラー付マイクの使用も可能としている。
【０００９】  テレビ会議時には、コントローラ（図１の９）を引出し、ラップトップコンピュータを動作状態（図２）とする。
【００１０】  携帯型テレビ会議端末機の収納、運搬時の形体は、キャリングケース（図３）の形となる。
【考案の効果】
【００１１】  テレビ会議を実施する場合に、機器の運搬が容易で、設営、設定が簡便であるため、複数地点間で、各地点、数名程度の参加者の場合、極めて有用である。
【００１２】  テレビ会議に必要な機器、器具一切を、キャリングケースに一括して収納している為、インターネットのケーブルと商用電源があれば、何時でも何処でもテレビ会議参加が可能である。また、一括収納のため、テレビ会議を構成する小物の準備忘れによるトラブルも回避できる。
【図面の簡単な説明】
【図１】携帯型テレビ会議端末機の斜視図である。（ディスプレー折畳み時）
【図２】携帯型テレビ会議端末機の斜視図である。（ディスプレーを開いた時）
【図３】収納した場合の携帯型テレビ会議端末機の斜視図である。
【符号の説明】
１．    ラップトップコンピュータ
１−１  ラップトップコンピュータ  画面
１−２  ラップトップコンピュータ  キーボード
２．    キャリングケース
３．    カメラ
４．    マイク
５．    マイクコントロール
６．    スピーカ
７．    音量コントロール
８．    ＬＡＮ端子  ＣＡＴ−５
９．    コントローラ
１０．  電源コード
１１．  広角レンズ取付金具
１２．  側方収納スペース蓋
１３．  止金
１４．  把手
【図１】
0003107324.tif 000003
【図２】
0003107324.tif 000004
【図３】
0003107324.tif 000005
【手続補正書】
【提出日】平成16年9月22日(2004.9.22)
【手続補正１】
【補正対象書類名】実用新案登録請求の範囲
【補正対象項目名】全文
【補正方法】変更
【補正の内容】
【実用新案登録請求の範囲】
【請求項１】
動画、静止画及び音声による参加者数名程度を対象としたテレビ会議システムで、筐体を上下に分割して双方を蝶番で接合したキャリングケース型筐体を用い、その底部には、ディスプレーと操作部を有するラップトップコンピュータを実装し、その側方に空隙を設けて画面操作用コントローラ、マイク、カメラ用広角レンズ及び電源コードを収納して、会議のときに引き出して使用可能とし、コンピュータ側方の奥に外部接続用のＬＡＮ端子を設置しており、同筐体蓋部には、スピーカ、カメラ、マイクコントロール、スピーカコントロール及びカメラ用広角レンズ取付金具を実装して、収納して移動する時には、キャリングケース状となる携帯型テレビ会議端末機。
【請求項２】
動画、静止画及び音声による参加者数名程度を対象としたテレビ会議システムで、筐体を上下に分割して双方を蝶番で接合したキャリングケース型筐体を用い、その底部には、ディスプレーと操作部を有するラップトップコンピュータを実装し、その側方に空隙を設けて画面操作用コントローラ、ノイズキャンセラー付きマイク、カメラ用広角レンズ及び電源コードを収納して、会議のときに引き出して使用可能とし、コンピュータ側方の奥に外部接続用のＬＡＮ端子を設置しており、同筐体蓋部には、スピーカ、カメラ、マイクコントロール、スピーカコントロール及びカメラ用広角レンズ取付金具を実装して、収納して移動する時には、キャリングケース状となる携帯型テレビ会議端末機。
(57)【要約】      （修正有）【課題】携帯に便利な椅子上に配置できる腹部健康器具を提供する。【解決手段】椅子上に配置できる腹部健康器具であって、モーター１１、軸棒１２，２２、二つの発振ブロック１３、コントローラ１４及びプラグ１５からなり、モーター１１は軸棒１２，２２の中央に配置され、軸棒両側は、それぞれ、発振ブロック１３を連接し、モーター１１は導線により、コントローラ１４と接続され、コントローラ１４は更に、導線によりプラグ１５と接続されている主体部１と、主体部両側に設置される振動ベルト２とからなり、主体部は椅子背凭れ部に装着され、振動ベルト２は、ベルベット式ファスナーで、椅子上の使用者を囲繞し、主体部内のモーターが振動ベルトを振動させ、フィットネスの効果を達成するようにした。【選択図】図１
0003107325.tif 000002
【実用新案登録請求の範囲】
【請求項１】
椅子上に配置できる腹部健康器具であって、
モーター、軸棒、二つの発振ブロック、コントローラ及びプラグからなり、前記モーターは前記軸棒の中央に配置され、前記軸棒両側は、それぞれ、前記発振ブロックを連接し、前記モーターは導線により、前記コントローラと接続され、前記コントローラは更に、導線により前記プラグと接続されている主体部と、前記主体部両側に設置される振動ベルトとからなり、前記主体部は椅子背凭れ部に装着され、前記振動ベルトは、ベルベット式ファスナーで、椅子上の使用者を囲繞し、前記主体部内のモーターが振動ベルトを振動させ、フィットネスの効果を達成するようにしたことを特徴とする腹部健康器具。
【請求項２】
前記主体部は、前記椅子背凭れ部の内部に装着されることを特徴とする請求項１に記載の腹部健康器具。
【考案の詳細な説明】
【技術分野】
【０００１】
本考案は、椅子上に配置できる腹部健康器具に関するものであって、特に、使用者が椅子に腰掛けた状態で使用できるようにした腹部健康器具に関するものである。
【背景技術】
【０００２】
従来の腹部健康器具は、主体部の一側に連接される振動ベルトを備え、使用者は器具の支柱に向き合って台座上に立ち、振動ベルトを使用者の腹部や腰部に当て、振動ベルトの振動により、その健康器具としての目的を達成している。  
しかし、一般の腹部健康器具は、体積が非常に大きくかつ重量が重く、置く場所が限定されてしまい、移動が困難である。
本考案は、従来の腹部健康器具に改良を加え、椅子上に配置できる腹部健康器具を考案し、上述のような欠点を改善した。  
【考案の開示】
【考案が解決しようとする課題】
【０００３】
本考案は、携帯に便利な椅子上に配置できる腹部健康器具を提供することを目的とする。
【課題を解決するための手段】
【０００４】
本考案は、一般の腹部健康器具の主体部を椅子背凭れ部に配置し、主体部両側の振動ベルトを、使用者の腹部や腰部に巻き回すことにより、使用者は椅子上で、腹部や腰部のフィットネスが可能である。
【考案の効果】
【０００５】
本考案の腹部健康器具は、携帯に便利で、かつ使用者は椅子に腰掛けながら腹部や腰部のフィットネスが可能であるという利点がある。
【考案を実施するための最良の形態】
【０００６】
本考案の目的とその特徴及び効果を詳細に説明するために、以下に具体的な実施例を説明する。
【実施例】
【０００７】
図１は本考案の腹部健康器具の実施例を示す斜視図で、本考案では、従来の腹部健康器具の本体台座部分を省略して、器具の主体部１と振動ベルト２とを一般の椅子上に装着することで、設置場所に制限のある使用者が、椅子に腰掛けるだけで健康器具を使用できるようになっている。
【０００８】
腹部健康器具の主体部１は内部にモーターを装着し、該主体部１を椅子背凭れ部３ａ背面側に設置し、振動ベルト２を、椅子３に腰掛ける使用者の腹部や腰部を囲繞するようにしてベルベット式ファスナーで取り付けるようにしたので、主体部１を起動すると、モーターにより振動が振動ベルト２に伝わり、椅子３上で、腹部（或いは、腰部）のフィットネスが可能となる。
【０００９】
続いて、図２で示されるように、本考案の主体部１は、製造時、椅子３内部に埋設して、椅子３外側から、飛行機のシートベルトのように、スイッチと振動ベルト２だけを外部に露出させて、腰部フィットネスの健康機器を形成することができる。スイッチをオンすると、使用者の腹部（或いは、腰部）を囲繞する振動ベルト２により、フィットネスの効果を達成する。
【００１０】
図３を参照すると、本考案の主体部１は、モーター１１、軸棒１２、二つの発振ブロック１３、コントローラ１４、及び、プラグ１５等の構成要素からなる。モーター１１は軸棒１２の中央に配置され、軸棒１２両側は、それぞれ、発振ブロック１３を連接し、モーター１１は導線によりコントローラ１４と接続され、更に、コントローラ１４は導線によりプラグ１５と接続され、プラグ１５が電源に繋がれた後、モーター１１が軸棒１２を駆動して旋回し、軸棒１２両側の発振ブロック１３が、主体部１に接続された振動ベルト２を絶え間なく振動させる。
【００１１】
図４で示されるように、本考案の軸棒２２を曲状に設計し、両端の発振ブロックを不要にすることも出来る。
【００１２】
上述のように、本考案の椅子上に配置できる腹部健康器具は、従来の腹部健康器具が大型であるために、空間を占有し、且つ、運びにくいというような欠点を改善し、携帯可能で、場所を選ばず、椅子に座っての腹部のフィットネスが可能である。
【図面の簡単な説明】
【００１３】
【図１】本考案の腹部健康器具の実施例を示す斜視図、
【図２】本考案の腹部健康器具の実施例の変形例を示す斜視図、
【図３】本考案の腹部健康器具の実施例における主体部の概略図、
【図４】本考案の腹部健康器具の実施例における軸棒の変形例を示す説明図である。
【符号の説明】
【００１４】
１    主体部
１１  モーター
１２、２２  軸棒
１３  発振ブロック
１４  コントローラ
１５  プラグ
２    振動ベルト
３    椅子
【図１】
0003107325.tif 000003
【図２】
0003107325.tif 000004
【図３】
0003107325.tif 000005
【図４】
0003107325.tif 000006
【手続補正書】
【提出日】平成16年9月16日(2004.9.16)
【手続補正１】
【補正対象書類名】実用新案登録請求の範囲
【補正対象項目名】全文
【補正方法】変更
【補正の内容】
【実用新案登録請求の範囲】
【請求項１】
椅子上に配置できる腹部健康器具であって、
モーター、軸棒、二つの発振ブロック、コントローラ及びプラグからなる主体部と、該主体部に装着される振動ベルトを備え、
前記モーターは前記軸棒の中央に配置され、前記軸棒両側にはそれぞれ前記発振ブロックが連結されると共に、前記モーターは導線により前記コントローラと互いに接続され、前記コントローラは前記プラグと接続されて前記主体部を構成し、前記主体部である軸棒の両側には遊端部にベルベット式ファスナーを有する振動ベルトを装着してなり、前記主体部は椅子背凭れ部に装着されると共に、前記振動ベルトによって椅子上の使用者を囲繞し、前記主体部のモーターが振動ベルトを振動させることでフィットネスの効果を達成するようにしたことを特徴とする腹部健康器具。
【請求項２】
前記主体部は、前記椅子背凭れ部の内部に装着されることを特徴とする請求項１に記載の腹部健康器具。
(57)【要約】【課題】玄関ポーチなどに充分な自然光や外気を採り入れることができ、かつ、プライバシーを良好に保つことのできるマンションの専有住戸の採光構造を提供する。【解決手段】マンションの専有住戸の採光構造において、マンションの共用廊下１に対向して、専有住戸の玄関２と居室４を設け、玄関２の側方で、共用廊下１と居室４との間に、少なくとも共用廊下１と玄関ポーチ３に自然光や外気を採り入れると共に、共用廊下１と居室４との間に空間部を形成する吹抜５を設ける。【選択図】      図１
0003107974.tif 000002
【実用新案登録請求の範囲】
【請求項１】
マンションの専有住戸の採光構造であって、マンションの共用廊下（１）に対向して，専有住戸の玄関（２）と居室（４）を設け、前記玄関の側方で，前記共用廊下と居室との間に，少なくとも前記共用廊下と玄関ポーチ（３）に自然光や外気を採り入れると共に，前記共用廊下と居室との間に空間部を形成する吹抜（５）を設けてなるマンションの専有住戸の採光構造。
【請求項２】
マンションの専有住戸の採光構造であって、前記マンションの共用廊下（１）と玄関（２）との間に玄関ポーチ（３）を設け、前記玄関ポーチの一部に，少なくとも前記玄関ポーチに自然光や外気を採り入れて，該玄関ポーチに光庭を形成する吹抜（５）を設けてなるマンションの専有住戸の採光構造。
【考案の詳細な説明】
【技術分野】
【０００１】
本考案は、マンションの専有住戸の玄関ポーチなどに、充分な自然光や外気を採り入れることのできる採光構造に関するものである。
【背景技術】
【０００２】
一般に、主として大型のマンションにおける専有住戸は、その周囲を他の専有住戸に囲まれるので、その玄関ポーチなどに自然光や外気を採り入れることが困難である。
【０００３】
また、通常、専有住戸の居室が共用廊下に面しているので、プライバシーを良好に保ち難いといった問題がある。
【考案の開示】
【考案が解決しようとする課題】
【０００４】
従って、玄関ポーチなどに充分な自然光や外気を採り入れることができれば、当該専有住戸の外観が明るくなって見栄えが向上し、また、環境衛生上も好ましい。さらに、共用廊下と居室との間に空間部を形成できれば、よりプライバシーを守ることができる。
【０００５】
本考案はこうした点に鑑み創案されたもので、玄関ポーチなどに充分な自然光や外気を採り入れることができ、かつ、プライバシーをより良好に保つことのできるマンションの専有住戸の採光構造を提供することを課題とする。
【課題を解決するための手段】
【０００６】
図１および図２を参照して説明する。
請求項１に記載の考案は、マンションの専有住戸の採光構造であって、マンションの共用廊下１に対向して、専有住戸の玄関２と居室４を設け、前記玄関２の側方で、前記共用廊下１と居室４との間に、少なくとも前記共用廊下１と玄関ポーチ３に自然光や外気を採り入れると共に、前記共用廊下１と居室４との間に空間部を形成する吹抜５を設けてなる。
【０００７】
請求項２に記載の考案は、マンションの専有住戸の採光構造であって、前記マンションの共用廊下１と玄関２との間に玄関ポーチ３を設け、前記玄関ポーチ３の一部に、少なくとも前記玄関ポーチ３に自然光や外気を採り入れて、当該玄関ポーチ３に光庭を形成する吹抜５を設けてなる。
【考案の効果】
【０００８】
請求項１に記載のマンションの専有住戸の採光構造は、マンションの共用廊下１に対向して、専有住戸の玄関２と居室４を設け、玄関２の側方で、共用廊下１と居室４との間に、少なくとも共用廊下１と玄関ポーチ３に自然光や外気を採り入れると共に、共用廊下１と居室４との間に空間部を形成する吹抜５を設けたので、共用廊下１や玄関ポーチ３に充分な自然光と外気を採り入れることができる。これにより、玄関ポーチ３などを明るくして当該専有住戸の外観性を高めることができる。また、自然光の採り入れと外気の循環によって、環境衛生を向上させることができる。
【０００９】
また、この吹抜５によって形成された空間部によって、共用廊下１から居室４が視覚され難く、よって当該専有住戸のプライバシーを良好に保つことができる。
【００１０】
請求項２に記載のマンションの専有住戸の採光構造は、マンションの共用廊下１と玄関２との間に玄関ポーチ３を設け、玄関ポーチ３の一部に、少なくとも玄関ポーチ３に自然光や外気を採り入れて、当該玄関ポーチ３に光庭を形成する吹抜５を設けたので、当該光庭を形成する玄関ポーチ３によって専有住戸の外観性を高めることができる。また、吹抜５から採り入れる自然光と外気によって、環境衛生の向上を図ることができる。
【考案を実施するための最良の形態】
【００１１】
本考案に係るマンションの専有住戸の採光構造の第一実施形態を、図１に示す。この採光構造は、マンションの共用廊下１に対向して、専有住戸の玄関２と居室４を設け、玄関２の側方で、かつ、共用廊下１と居室４との間に、共用廊下１、玄関ポーチ３、玄関２および居室４に自然光や外気を採り入れる吹抜５を設けている。玄関２には、当該玄関２に設けた窓２ａから、また、居室４には、当該居室４に設けた窓４ａから室外機置場８を介して、それぞれ自然光と外気を採り入れる。
なお、この吹抜５は、屋上に開口するもので、当該開口から自然光と外気を採り入れている。
【００１２】
本実施形態に係るマンションの専有住戸の採光構造は、共用廊下１や玄関ポーチ３などに充分な自然光と外気を採り入れることができるので、玄関ポーチ３などを自然光で明るく照らして当該専有住戸の外観性を高めることができる。また、自然光と外気の採り入れによって、当該専有住戸の環境衛生を向上させることができる。
【００１３】
また、この吹抜５は、共用廊下１と居室４との間に空間部を形成するので、当該空間部によって、共用廊下１から居室４が視覚され難く、よって当該専有住戸のプライバシーを良好に保つことができる。
【００１４】
本考案に係るマンションの専有住戸の採光構造の第二実施形態を、図２に示す。この採光構造は、マンションの共用廊下１と玄関２との間に玄関ポーチ３を設け、その玄関ポーチ３の一部に、当該玄関ポーチ３、共用廊下１、居室４および浴室６に自然光や外気を採り入れる吹抜５を設けている。特に、玄関ポーチ３には豊富に自然光を採り入れることができるので、当該玄関ポーチ３に光庭を形成することができる。
【００１５】
この光庭を形成する玄関ポーチ３によって専有住戸の外観性を高めることができる。また、吹抜５から採り入れる自然光と外気によって、当該専有住戸の環境衛生の向上を図ることができる。
【図面の簡単な説明】
【００１６】
【図１】本考案に係るマンションの専有住戸の採光構造の第一実施形態を示す平面図である。
【図２】本考案に係るマンションの専有住戸の採光構造の第二実施形態を示す平面図である。
【符号の説明】
【００１７】
１      共用廊下
２      玄関
２ａ    窓
３      玄関ポーチ
４      居室
４ａ    窓
５      吹抜
６      浴室
６ａ    窓
７      専用廊下
８      室外機置場
９      居間・食事室
Ｄ      ドア
【図１】
0003107974.tif 000003
【図２】
0003107974.tif 000004